(57)【要約】【課題】鍵盤の演奏操作に応じて鍵盤画像に演奏操作のマークを分かり易く表示することができる演奏操作表示装置を提供することを課題とする。【解決手段】押鍵及び離鍵を含む演奏操作に応じて演奏情報を出力する鍵盤（１０１）と、鍵盤の画像を表示するためのディスプレイ（１０８）と、鍵盤を押鍵するとディスプレイ上で該押鍵した音高の鍵の上にマークを表示し、鍵盤を離鍵するとディスプレイ上で該離鍵した音高の鍵の上のマークの大きさが徐々に小さくなるように表示する表示制御手段（１０７）とを有する演奏操作表示装置が提供される。【選択図】        図１
2004347703.tif 000002
【特許請求の範囲】
【請求項１】
押鍵及び離鍵を含む演奏操作に応じて演奏情報を出力する鍵盤と、
鍵盤の画像を表示するためのディスプレイと、
前記鍵盤を押鍵すると前記ディスプレイ上で該押鍵した音高の鍵の上にマークを表示し、前記鍵盤を離鍵すると前記ディスプレイ上で該離鍵した音高の鍵の上のマークの大きさが徐々に小さくなるように表示する表示制御手段と
を有する演奏操作表示装置。
【請求項２】
前記鍵盤は、押鍵速度に応じたベロシティを出力し、
前記表示制御手段は、前記ベロシティに応じて、前記押鍵時のマークの大きさを変えて表示する請求項１記載の演奏操作表示装置。
【請求項３】
押鍵すると該押鍵速度に応じたベロシティを出力する鍵盤と、
鍵盤の画像を表示するためのディスプレイと、
前記鍵盤を押鍵すると前記ディスプレイ上で該押鍵した音高の鍵の上にマークを表示する際、前記ベロシティに応じて、該マークの大きさを変えて表示する表示制御手段と
を有する演奏操作表示装置。
【請求項４】
押鍵を含む演奏操作に応じて演奏情報を出力する鍵盤と、
前記鍵盤の演奏情報に応じて、発音する楽音の音量エンベロープを生成するエンベロープジェネレータと、
鍵盤の画像を表示するためのディスプレイと、
前記鍵盤を押鍵すると前記ディスプレイ上で該押鍵した音高の鍵の上にマークを表示する際に、前記音量エンベロープに応じて前記マークの大きさを変化させて表示する表示制御手段と
を有する演奏操作表示装置。
【請求項５】
押鍵を含む演奏操作に応じて演奏情報を出力する鍵盤と、
前記鍵盤の演奏情報に応じて楽音信号を生成する楽音生成手段と、
鍵盤の画像を表示するためのディスプレイと、
前記鍵盤を押鍵すると前記ディスプレイ上で該押鍵した音高の鍵の上にマークを表示する際に、前記楽音信号の音色に応じた表示形態で前記マークを表示する表示制御手段と
を有する演奏操作表示装置。
【請求項６】
さらに、音色を選択するための操作子を有し、
前記表示制御手段は、前記操作子の選択に応じた表示形態で前記マークを表示する請求項５記載の演奏操作表示装置。
【請求項７】
押鍵を含む演奏操作に応じて演奏情報を出力する鍵盤と、
前記鍵盤の演奏情報に応じて楽音信号を生成するために所定のカットオフ周波数で楽音信号のフィルタリングを行うためのフィルタと、
鍵盤の画像を表示するためのディスプレイと、
前記鍵盤を押鍵すると前記ディスプレイ上で該押鍵した音高の鍵の上にマークを表示する際に、前記カットオフ周波数に応じた表示形態で前記マークを表示する表示制御手段と
を有する演奏操作表示装置。
【請求項８】
前記表示制御手段は、前記鍵盤の押鍵後に変化する前記カットオフ周波数のエンベロープに応じた表示形態で前記マークを表示する請求項７記載の演奏操作表示装置。
【請求項９】
押鍵を含む演奏操作に応じて演奏情報を出力する鍵盤と、
ビブラートを指示するための操作子と、
鍵盤の画像を表示するためのディスプレイと、
前記鍵盤を押鍵すると前記ディスプレイ上で該押鍵した音高の鍵の上にマークを表示する際に、前記操作子によりビブラートが指示されると、前記マークを揺らしながら表示する表示制御手段と
を有する演奏操作表示装置。
【請求項１０】
前記表示制御手段は、複数のＭＩＤＩチャンネル又はパートの演奏情報に応じて前記マークを表示する際、ＭＩＤＩチャンネル又はパート毎に異なる表示形態で前記マークを表示する請求項１〜９のいずれか１項に記載の演奏操作表示装置。
【請求項１１】
さらに、外部から演奏情報を入力するためのインタフェースを有し、
前記表示制御手段は、外部から入力された演奏情報に応じて、前記マークを表示することができる請求項１０記載の演奏操作表示装置。
【発明の詳細な説明】
【０００１】
【発明の属する技術分野】
本発明は、演奏操作表示装置に関し、特に鍵盤の演奏操作を表示する装置に関する。
【０００２】
【従来の技術】
演奏情報をディスプレイに表示する方法として、図１４（Ａ）に示すように、画面上に鍵盤画像を表示し、押鍵時に押鍵に対応する鍵の位置にマーク１４０１を表示し、図１４（Ｂ）に示すように離鍵時にマークを消去するものがある。この方法では、押鍵及び離鍵により、一瞬でマーク１４０１が消去されてしまう。押鍵及び離鍵に対応してマーク１４０１の表示及び消去が繰り返されるため、画面がちらつくなどして見にくいといった不具合があった。また、鍵盤にマーク１４０１が表示されるだけであるため、音の高さ以外の演奏情報を表現することができなかった。
【０００３】
また、下記の特許文献１には、押鍵されている鍵を塗りつぶす方法が示されている。
【０００４】
【特許文献１】
特開平６−３５４５６号公報
【０００５】
【発明が解決しようとする課題】
本発明の目的は、鍵盤の演奏操作に応じて鍵盤画像に演奏操作のマークを分かり易く表示することができる演奏操作表示装置を提供することである。
本発明の他の目的は、音高以外の演奏情報を鍵盤画像に表示することができる演奏操作表示装置を提供することである。
【０００６】
【課題を解決するための手段】
本発明の一観点によれば、押鍵及び離鍵を含む演奏操作に応じて演奏情報を出力する鍵盤と、鍵盤の画像を表示するためのディスプレイと、前記鍵盤を押鍵すると前記ディスプレイ上で該押鍵した音高の鍵の上にマークを表示し、前記鍵盤を離鍵すると前記ディスプレイ上で該離鍵した音高の鍵の上のマークの大きさが徐々に小さくなるように表示する表示制御手段とを有する演奏操作表示装置が提供される。
本発明の他の観点によれば、押鍵すると該押鍵速度に応じたベロシティを出力する鍵盤と、鍵盤の画像を表示するためのディスプレイと、前記鍵盤を押鍵すると前記ディスプレイ上で該押鍵した音高の鍵の上にマークを表示する際、前記ベロシティに応じて、該マークの大きさを変えて表示する表示制御手段とを有する演奏操作表示装置が提供される。
本発明のさらに他の観点によれば、押鍵を含む演奏操作に応じて演奏情報を出力する鍵盤と、前記鍵盤の演奏情報に応じて、発音する楽音の音量エンベロープを生成するエンベロープジェネレータと、鍵盤の画像を表示するためのディスプレイと、前記鍵盤を押鍵すると前記ディスプレイ上で該押鍵した音高の鍵の上にマークを表示する際に、前記音量エンベロープに応じて前記マークの大きさを変化させて表示する表示制御手段とを有する演奏操作表示装置が提供される。
本発明のさらに他の観点によれば、押鍵を含む演奏操作に応じて演奏情報を出力する鍵盤と、前記鍵盤の演奏情報に応じて楽音信号を生成する楽音生成手段と、鍵盤の画像を表示するためのディスプレイと、前記鍵盤を押鍵すると前記ディスプレイ上で該押鍵した音高の鍵の上にマークを表示する際に、前記楽音信号の音色に応じた表示形態で前記マークを表示する表示制御手段とを有する演奏操作表示装置が提供される。
本発明のさらに他の観点によれば、押鍵を含む演奏操作に応じて演奏情報を出力する鍵盤と、前記鍵盤の演奏情報に応じて楽音信号を生成するために所定のカットオフ周波数で楽音信号のフィルタリングを行うためのフィルタと、鍵盤の画像を表示するためのディスプレイと、前記鍵盤を押鍵すると前記ディスプレイ上で該押鍵した音高の鍵の上にマークを表示する際に、前記カットオフ周波数に応じた表示形態で前記マークを表示する表示制御手段とを有する演奏操作表示装置が提供される。
本発明のさらに他の観点によれば、押鍵を含む演奏操作に応じて演奏情報を出力する鍵盤と、ビブラートを指示するための操作子と、鍵盤の画像を表示するためのディスプレイと、前記鍵盤を押鍵すると前記ディスプレイ上で該押鍵した音高の鍵の上にマークを表示する際に、前記操作子によりビブラートが指示されると、前記マークを揺らしながら表示する表示制御手段とを有する演奏操作表示装置が提供される。
【０００７】
本発明によれば、離鍵後にマークの大きさが徐々に小さくなるように表示するので、一瞬でマークが消去されてしまうことがなく、演奏操作のマークを見やすくすることができる。また、音高以外の演奏情報を鍵盤画像に表示し、表現力の高い表示を行うことができる。
【０００８】
【発明の実施の形態】
（第１の実施形態）
図１は、本発明の第１の実施形態による演奏操作表示装置を含む電子楽器の構成例を示す。鍵盤１０１は、押鍵及び離鍵を含む演奏操作に応じて演奏情報を出力する。押鍵すると押鍵情報（キーオンイベント）を出力し、離鍵すると離鍵情報（キーオフイベント）を出力する。キーオンイベントは、押鍵速度に対応するベロシティ、押鍵音高情報、及びＭＩＤＩ（Ｍｕｓｉｃａｌ  Ｉｎｓｔｒｕｍｅｎｔ  Ｄｉｇｉｔａｌ  Ｉｎｔｅｒｆａｃｅ）チャンネル番号を含む。キーオフイベントは、離鍵音高情報及びＭＩＤＩチャンネル番号を含む。操作子１０２は、音色選択操作子、ピッチベンド及びモジュレーションホイール等を含み、演奏者による操作子操作情報を出力する。
【０００９】
エンベロープジェネレータ１０３は、鍵盤１０１の演奏情報及び操作子１０２の操作情報に応じて、音量エンベロープ及びフィルタ（カットオフ周波数）エンベロープを生成する。これらのエンベロープの詳細は、後に図２を参照しながら説明する。
【００１０】
楽音制御部１０４は、鍵盤１０１が生成する演奏情報、操作子１０２が出力する操作情報、及びエンベロープジェネレータ１０３が生成するエンベロープに応じて、楽音パラメータを生成する。音源１０５は、その楽音パラメータに応じて、楽音信号を生成する。サウンドシステム１０６は、アンプ及びスピーカを含み、上記の楽音信号を増幅して発音する。
【００１１】
ディスプレイ１０８は、例えば図３（Ａ）に示すように鍵盤の画像を表示する。表示制御部１０７は、鍵盤１０１が生成する演奏情報、操作子１０２が出力する操作情報、及び／又はエンベロープジェネレータ１０３が生成するエンベロープに応じて、ディスプレイ１０８上で演奏情報のマーク３０１（図３（Ａ））等を表示する。これらの詳細は、後に図３（Ａ）等を参照しながら説明する。
【００１２】
図２は、図１のエンベロープジェネレータ１０３を説明するための楽音生成部の構成例を示す。デジタルコントロールドオシレータ（ＤＣＯ）２０１は、キー入力を受けて、所定の周波数で楽音信号を生成する。デジタルコントロールドフィルタ（ＤＣＦ）２０２は、例えばローパスフィルタであり、カットオフ周波数２１１でＤＣＯ２０１が生成する楽音信号をフィルタリングする。デジタルコントロールドアンプリファイヤ（ＤＣＡ）２０３は、音量２１２に応じて、ＤＣＦ２０２が出力する楽音信号を増幅する。以上により、発音すべき楽音信号が生成される。
【００１３】
音量２１２は、ベロシティ２０８、エンベロープジェネレータ２０７及び演算器２０９により生成される。ベロシティ２０８は、図１の鍵盤１０１のキーオンイベント中のベロシティ（押鍵速度）である。ベロシティ２０８が大きいほど、音量２１２が大きくなる。エンベロープジェネレータ２０７は、例えば図７に示す音量エンベロープを生成する。
【００１４】
図７は、横軸が時間を示し、縦軸が音量を示す。この音量エンベロープは、例えば、時刻ｔ１で押鍵し、時刻ｔ４で離鍵したエンベロープである。時刻ｔ１からｔ２がアタック部、時刻ｔ２からｔ３がディケイ部、時刻ｔ３からｔ４がサステイン部、時刻ｔ４からｔ５がリリース部である。
【００１５】
図２において、演算器２０９は、エンベロープジェネレータ２０７が生成する音量エンベロープ（図７）とベロシティ２０８とを基に演算し、音量２１２を生成する。ＤＣＡ２０３は、音量２１２に応じて、楽音信号を増幅する。図１の表示制御部１０７は、エンベロープジェネレータ２０７が生成する音量エンベロープ、ベロシティ２０８又は音量２１２に応じて、演奏情報のマークを表示する。これらの詳細は、後に図５（Ａ）、（Ｂ）、図６（Ａ）〜（Ｆ）を参照しながら説明する。
【００１６】
図２において、カットオフ周波数２１１は、カットオフ周波数２０５、エンベロープジェネレータ２０４及び演算器２０６により生成される。カットオフ周波数２０５は、図１の音色選択操作子１０２により選択された音色に応じたカットオフ周波数である。カットオフ周波数２０５が高いほど、音色が明るくなる。エンベロープジェネレータ２０４は、押鍵後に変化するカットオフ周波数のエンベロープを生成する。例えば、ピアノの音色は、押鍵直後のアタック部では音色が他の部分と異なる。このように、音色は、押鍵後に時間変化する。
【００１７】
演算器２０６は、エンベロープジェネレータ２０４が生成するカットオフ周波数エンベロープとカットオフ周波数２０５とを基に演算し、カットオフ周波数２１１を生成する。ＤＣＦ２０２は、カットオフ周波数２１１に応じて、楽音信号をフィルタリングする。図９は、ＤＣＦ２０２のフィルタ特性例を示す。横軸が周波数を示し、縦軸が通過レベルを示す。ＤＣＦ２０２は、カットオフ周波数Ｆｃ以下の周波数の信号のみを通過させる。図１の表示制御部１０７は、エンベロープジェネレータ２０４が生成するカットオフ周波数エンベロープ、カットオフ周波数２０５又は２１１に応じて、演奏情報のマークを表示する。これらの詳細は、後に図８（Ａ）、（Ｂ）を参照しながら説明する。
【００１８】
（第２の実施形態）
図３（Ａ）〜（Ｄ）は、本発明の第２の実施形態による演奏操作表示例を示す。図４は、図３（Ａ）〜（Ｄ）に対応する演奏情報のマークの表示サイズを示す。横軸が時間ｔを示し、縦軸がマークのサイズを示す。
【００１９】
時刻ｔ１において、演奏者が鍵盤１０１を押鍵すると、図３（Ａ）に示すように、表示制御部１０７は、ディスプレイ１０８上で該押鍵した音高の鍵の上にマーク３０１を表示する。このマーク３０１は、サイズＳ１を有する。マーク３０１のサイズＳ１は、演奏者が離鍵するまで変わらず、一定である。
【００２０】
次に、時刻ｔ２において、鍵盤１０１を離鍵すると、表示制御部１０７は、ディスプレイ１０８上で該離鍵した音高の鍵の上のマークの大きさが徐々に小さくなるように表示する。すなわち、押鍵時の図３（Ａ）の表示から離鍵後の図３（Ｂ）の表示に変わる。離鍵後のマーク３０２は、押鍵時のマーク３０１より小さくなる。その後、図３（Ｃ）に示すように、離鍵した鍵上のマーク３０３がさらに小さくなる。やがて、時刻ｔ３において、図３（Ｄ）に示すよう、マークが消失する。
【００２１】
本実施形態では、離鍵と同時にマークを消失させるのではなく、離鍵後に徐々にマークが小さくなるように表示するので、画面のちらつきを防止し、自然にマークを消去させることができる。また、マークが小さくなることと、離鍵後に楽音の音量が小さくなっていくこととが連動しているため、感覚的にもわかりやすい。
【００２２】
（第３の実施形態）
図５（Ａ）及び（Ｂ）は、本発明の第３の実施形態による演奏操作表示例を示す。表示制御部１０７は、キーオンイベント中のベロシティに応じて、ディスプレイ１０８上で押鍵時のマークの大きさＳ１（図４）を変えて表示する。図５（Ａ）に示すように、ベロシティが大きいときには、押鍵した鍵上のマーク５０１を大きくして表示する。図５（Ｂ）に示すように、ベロシティが小さいときには、押鍵した鍵上のマーク５０２を小さくして表示する。離鍵後は、図４に示すように、第２の実施形態と同じである。また、離鍵と同時にマークを消去してもよい。
【００２３】
ベロシティの大きさは、発音する楽音の音量に対応する。したがって、音量が大きければマーク５０１が大きくなり、音量が小さければマーク５０２が小さくなる。ベロシティの大小に応じて、マークのサイズを変化させることにより、より自然な演奏状態を表示することができる。
【００２４】
（第４の実施形態）
図６（Ａ）〜（Ｆ）は、本発明の第４の実施形態による演奏操作表示例を示す。表示制御部１０７は、鍵盤１０１を押鍵及び離鍵するとディスプレイ１０８上で該押鍵及び離鍵した音高の鍵の上にマークを表示する。その際、表示制御部１０７は、エンベロープ１０３が生成する図７等の音量エンベロープに応じて、マークの大きさを変化させて表示する。すなわち、マークの大きさは、音量エンベロープの大きさに対応する。
【００２５】
図７の時刻ｔ１において、押鍵されると、図６（Ａ）に示すように、押鍵した鍵上のマーク６０１が小さく表示される。その後、音量が大きくなると、図６（Ｂ）に示すように、押鍵した鍵上のマーク６０２も大きくなる。その後、時刻ｔ２において、音量が最大になり、図６（Ｃ）に示すように、押鍵した鍵上のマーク６０３のサイズも最大になる。その後、音量が小さくなると、図６（Ｄ）に示すように、押鍵した鍵上のマーク６０４も小さくなる。次に、時刻ｔ４において、離鍵すると、音量がさらに小さくなり、図６（Ｅ）に示すように、離鍵した鍵上のマーク６０５も小さくなる。その後、時刻ｔ５になると、音量が０になり、図６（Ｆ）に示すように、離鍵した鍵上のマークが消える。
【００２６】
本実施形態は、離鍵後のみでなく、押鍵時から音量エンベロープの時間変化に応じて、マークのサイズを変化させることにより、より自然な演奏状態を表示し、一層表現力を高めることができる。
【００２７】
（第５の実施形態）
図８（Ａ）及び（Ｂ）は、本発明の第５の実施形態による演奏操作表示例を示す。表示制御部１０７は、鍵盤１０１を押鍵するとディスプレイ１０８上で該押鍵した音高の鍵の上にマークを表示する。その際、表示制御部１０７は、楽音信号の音色に応じた表示形態でマークを表示する。例えば、図８（Ａ）に示すように、音色が明るいときには、押鍵した鍵上のマーク８０１を明るくして表示する。図８（Ｂ）に示すように、音色が暗いときには、押鍵した鍵上のマーク８０２を暗くして表示する。
【００２８】
図９に示すＤＣＦ２０２のカットオフ周波数Ｆｃが高ければ明るい音色になり、カットオフ周波数Ｆｃが低ければ暗い音色になる。表示制御部１０７は、カットオフ周波数Ｆｃに応じた表示形態でマークを表示することができる。その際、表示制御部１０７は、鍵盤１０１の押鍵後に変化するカットオフ周波数（フィルタ）エンベロープ２１１（図２）に応じた表示形態でマークを表示してもよい。また、操作子１０２の音色選択に応じて、カットオフ周波数が決まるので、表示制御部１０７は、音色選択に応じた表示形態でマークを表示してもよい。
【００２９】
本実施形態によれば、音色に応じてマークの明るさ等を変化させる。マークの明るさは、音色の「明るい」又は「暗い」に対応するため、分かり易い表現になる。
【００３０】
（第６の実施形態）
図１０は、本発明の第６の実施形態による演奏操作表示例を示す。表示制御部１０７は、鍵盤１０１を押鍵するとディスプレイ１０８上で該押鍵した音高の鍵の上にマーク１００１を表示する。その際、表示制御部１０７は、ビブラートが指示されると、マーク１００１を左右に揺らしながら表示する。ビブラートは、演奏者が操作子１０２（ピッチベンド又はモジュレーションホイール等）により指示することができ、低周波数（例えば４〜８Ｈｚ）で音高を変化させる演奏方法である。
【００３１】
本実施形態では、ビブラートに応じて、マーク１００１を左右に揺らす。鍵盤の左右方向は音高に対応しているため、マーク１００１の揺れが音高の揺れに対応していることが感覚的に分かりやすい。
【００３２】
（第７の実施形態）
図１１は、本発明の第７の実施形態による演奏操作表示例を示す。鍵盤１０１の押鍵によるキーオンイベントは、ＭＩＤＩチャンネル番号を含む。また、ＭＩＤＩインタフェース又はネットワークインタフェースを介して、外部からキーオンイベント等の演奏情報を入力することができる。その場合、表示制御部１０７は、複数のＭＩＤＩチャンネル又はパートの演奏情報に応じて、マーク１１０１〜１１０５を表示することができる。その際、表示制御部１０７は、ＭＩＤＩチャンネル又はパート毎に異なる表示形態でマーク１１０１〜１１０５を表示する。例えば、マーク１１０１及び１１０３は、第１のＭＩＤＩチャネルのキーオンイベントに応じた演奏情報のマークであり、例えば青色で表示される。マーク１１０２は、第２のＭＩＤＩチャネルのキーオンイベントに応じた演奏情報のマークであり、例えば緑色で表示される。マーク１１０４及び１１０５は、第３のＭＩＤＩチャネルのキーオンイベントに応じた演奏情報のマークであり、例えば赤色で表示される。マーク１１０１〜１１０５の大きさは、第４の実施形態等に示したように、音量に対応する。
【００３３】
本実施形態は、ＭＩＤＩチャンネル又はパート毎にマークを色分け等することにより、複数のＭＩＤＩチャンネル又はパートの演奏情報を同時に表現することができる。
【００３４】
（第８の実施形態）
図１２は、本発明の第８の実施形態による電子楽器の構成例を示す。上記の第１〜第７の実施形態は、電子楽器１２００のメモリ１２０７内のコンピュータプログラムにより実現することもできる。
【００３５】
電子楽器１２００では、バス１２０１上に、鍵盤１２００、ディスプレイ１２０３、音源１２０４、ネットワークインタフェース１２０５、ＣＰＵ１２０６及びメモリ１２０７が接続されている。
【００３６】
演奏者が鍵盤１２０２にて押鍵又は離鍵を行うと、ＣＰＵ１２０６はそれらを検出してキーオンイベント又はキーオフイベント等を生成する。また、ＣＰＵ１２０６は、キーオンイベント等を、ネットワークインタフェース１２０５を介して外部に対して送受信することができる。音源１２０４は、生成又は受信したキーオンイベント又はキーオフイベント等を基に発音処理又は消音処理を行い、サウンドシステム１２０８にて発音される。ＣＰＵ１２０６は、ディスプレイ１２０３上において、鍵盤の画像を表示し、キーオンイベント及びキーオフイベントの鍵上のマーク表示を制御する。ＣＰＵ１２０６は、メモリ１２０７内のコンピュータプログラムに応じて、上記の処理を行う。
【００３７】
なお、電子楽器１２００のみで処理する他、鍵盤及びパソコンを組み合わせて処理してもよい。この場合、パソコンのディスプレイに、鍵盤の画像が表示される。
【００３８】
（第９の実施形態）
図１３（Ａ）は、本発明の第９の実施形態による複数の電子楽器を接続する第１のシステム構成例を示す。２個の電子楽器１３０１及び１３０２は、ネットワークを介して相互に接続される。電子楽器１３０１が演奏データ（ＭＩＤＩデータ）等を送信すると、電子楽器１３０２はその演奏データ等を受信する。逆に、電子楽器１３０２が演奏データ等を送信すると、電子楽器１３０１がその演奏データ等を受信する。電子楽器１３０１及び１３０２は、鍵盤を有する。２人の演奏者がそれぞれ電子楽器１３０１及び１３０２で演奏すると、自己の電子楽器は楽音を発音すると共に、相手の電子楽器に演奏データを送信して発音させることができる。各電子楽器１３０１及び１３０２のディスプレイには、上記の第１〜７の実施形態に示した鍵盤の画像及び演奏情報のマークが表示される。この際、自己の演奏情報及び他人の演奏情報は、ＭＩＤＩチャンネル番号が異なるので、異なる色等でマークが表示される。ネットワークを利用して演奏データ等を送受信することにより、遠隔地の演奏者同士が合奏を行う、いわゆるネットセッションを行うことができる。
【００３９】
図１３（Ｂ）は、本実施形態による複数の電子楽器を接続する第２のシステム構成例を示す。３個の電子楽器１３２１〜１３２３は、ネットワークサーバー１３２０を介して相互に接続される。３個の電子楽器１３２１〜１３２３とネットワークサーバー１３２０とは、ネットワークを介して接続される。電子楽器１３２１〜１３２３は、ネットワークサーバー１３２０を介して演奏データ等の通信を行うことができる。この場合も、遠隔地の演奏者同士が合奏を行うことができる。各電子楽器１３２１〜１３２３のディスプレイには、上記の第１〜７の実施形態に示した鍵盤の画像及び演奏情報のマークが表示される。
【００４０】
本実施形態によれば、自己の演奏情報及び他人の演奏情報を同時にディスプレイに表示させることができる。他人の演奏風景をカメラで撮影し、その映像データを通信し、表示させることも考えられるが、その場合は映像データ量が多くなってしまう。本実施形態では、ＭＩＤＩデータ等の演奏情報を通信するので、通信データ量を少なくして、他人の演奏情報をディスプレイに表示することができる。なお、図１３（Ａ）及び（Ｂ）のネットワークは、例えばＭＩＤＩ、インターネット、ＵＳＢ又はＩＥＥＥ１３９４等である。
【００４１】
以上のように、第１〜第９の実施形態によれば、離鍵後にマークの大きさが徐々に小さくなるように表示するので、一瞬でマークが消去されてしまうことがなく、演奏操作のマークを見やすくすることができる。また、音高以外の演奏情報として、音量、ベロシティ、カットオフ周波数、音色、ビブラート、ＭＩＤＩチャンネル番号等の演奏情報を鍵盤画像に表示し、表現力の高い表示を行うことができる。
【００４２】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００４３】
【発明の効果】
以上説明したように、離鍵後にマークの大きさが徐々に小さくなるように表示するので、一瞬でマークが消去されてしまうことがなく、演奏操作のマークを見やすくすることができる。また、音高以外の演奏情報を鍵盤画像に表示し、表現力の高い表示を行うことができる。
【図面の簡単な説明】
【図１】本発明の第１の実施形態による演奏操作表示装置を含む電子楽器の構成例を示すブロック図である。
【図２】エンベロープジェネレータを説明するための楽音生成部の構成例を示すブロック図である。
【図３】図３（Ａ）〜（Ｄ）は本発明の第２の実施形態による演奏操作表示例を示す図である。
【図４】図３（Ａ）〜（Ｄ）に対応する演奏情報のマークの表示サイズを示す図である。
【図５】図５（Ａ）及び（Ｂ）は本発明の第３の実施形態による演奏操作表示例を示す図である。
【図６】図６（Ａ）〜（Ｆ）は本発明の第４の実施形態による演奏操作表示例を示す図である。
【図７】音量エンベロープを示す図である。
【図８】図８（Ａ）及び（Ｂ）は本発明の第５の実施形態による演奏操作表示例を示す図である。
【図９】フィルタ特性例を示す図である。
【図１０】本発明の第６の実施形態による演奏操作表示例を示す図である。
【図１１】本発明の第７の実施形態による演奏操作表示例を示す図である。
【図１２】本発明の第８の実施形態による電子楽器の構成例を示す図である。
【図１３】図１３（Ａ）及び（Ｂ）は本発明の第９の実施形態による複数の電子楽器を接続するシステム構成例を示す図である。
【図１４】図１４（Ａ）及び（Ｂ）は従来の演奏情報の表示方法を示す図である。
【符号の説明】
１０１  鍵盤
１０２  操作子
１０３  エンベロープジェネレータ
１０４  楽音制御部
１０５  音源
１０６  サウンドシステム
１０７  表示制御部
１０８  ディスプレイ
２０１  ＤＣＯ
２０２  ＤＣＦ
２０３  ＤＣＡ
２０４  エンベロープジェネレータ
２０５  カットオフ周波数
２０６  演算器
２０７  エンベロープジェネレータ
２０８  ベロシティ
２０９  演算器
１２００  電子楽器
１２０１  バス
１２０２  鍵盤
１２０３  ディスプレイ
１２０４  音源
１２０５  ネットワークインタフェース
１２０６  ＣＰＵ
１２０７  メモリ
１２０８  サウンドシステム
１３０１，１３０２  電子楽器
１３２０  ネットワークサーバー
１３２１〜１３２３  電子楽器
【図１】
2004347703.tif 000003
【図２】
2004347703.tif 000004
【図３】
2004347703.tif 000005
【図４】
2004347703.tif 000006
【図５】
2004347703.tif 000007
【図６】
2004347703.tif 000008
【図７】
2004347703.tif 000009
【図８】
2004347703.tif 000010
【図９】
2004347703.tif 000011
【図１０】
2004347703.tif 000012
【図１１】
2004347703.tif 000013
【図１２】
2004347703.tif 000014
【図１３】
2004347703.tif 000015
【図１４】
2004347703.tif 000016